(57)【要約】【課題】従来の映像音響機器では音響再生部のスピーカからのみ音声信号を再生し、音響再生部が動作していないとき、もしくはユーザの要求に応じてテレビのスピーカから音声信号を再生することができなかった。【解決手段】通常はＤＶＤ／ＣＤ再生部の映像出力信号、またはユーザの選択した外部機器からの映像入力信号を選択して、この選択した映像信号をテレビ１０２に与えるとともに、ユーザの要求に応じて出力切り換えスイッチＳＷ１を制御して、前記映像信号に付随する音声信号をテレビ１０２に与える。マイクロコンピュータ（１）１１４は、マイクロコンピュータ（２）１２３と通信して、音響再生部１２１が動作していないことを把握すると、出力切り換えスイッチＳＷ１を制御して、ＤＶＤ／ＣＤ再生部の音声出力信号、またはユーザの選択した外部機器からの音声入力信号をテレビ１０２に与える。【選択図】図１
2005109868.tif 000002
【特許請求の範囲】
【請求項１】
映像信号と音声信号とを出力する映像音声再生部と、
少なくとも前記映像音声再生部の音声信号をスピーカで再生する音響再生部とを備え、
前記映像音声再生部には、
前記音響再生部への音声信号出力端子と、
外部映像信号出力端子と、
外部音声信号出力端子と、
少なくとも前記外部音声信号出力端子への出力可否を切り換える切り換え手段と、
前記映像音声再生部および前記音響再生部の動作を把握し制御するとともに前記切り換え手段を制御するマイクロコンピュータとを備え、
前記音響再生部には、
前記映像音声再生部の音声信号出力端子の出力を受ける音声信号入力端子と、
この音声信号入力端子からの入力を増幅してスピーカに出力する音声増幅器とを備え、
前記マイクロコンピュータは前記音響再生部が動作していないことを把握すると前記切り換え手段を制御して前記外部音声信号出力端子へ前記映像音声再生部の音声信号出力を与えることを特徴とする映像音響機器の制御装置。
【請求項２】
映像信号と音声信号とを出力する映像音声再生部と、
少なくとも前記映像音声再生部の音声信号をスピーカで再生する音響再生部とを備え、
前記映像音声再生部には、
前記音響再生部への音声信号出力端子と、
外部映像信号出力端子と、
外部音声信号出力端子と、
少なくとも前記外部音声信号出力端子への出力可否を切り換える切り換え手段と、
前記映像音声再生部の動作を制御するとともに前記切り換え手段を制御する第１のマイクロコンピュータとを備え、
前記音響再生部には、
前記映像音声再生部の音声信号出力端子の出力を受ける音声信号入力端子と、
この音声信号入力端子からの入力を増幅してスピーカに出力する音声増幅器と、
前記音響再生部の動作を把握し制御する第２のマイクロコンピュータとを備え、
前記第１のマイクロコンピュータは前記第２のマイクロコンピュータと通信して前記音響再生部が動作していないことを把握すると前記切り換え手段を制御して前記外部音声信号出力端子へ前記映像音声再生部の音声信号出力を与えることを特徴とする映像音響機器の制御装置。
【請求項３】
前記切り換え手段は第１の切り換え手段であり、
前記映像音声再生部は、
さらに外部映像入力端子と、
外部音声入力端子と、
前記映像音声再生部の出力か外部映像入力端子および外部音声入力端子の入力かを選択する第２の切り換え手段とを備え、
前記マイクロコンピュータは前記映像音声再生部の再生出力がないときは、前記第２の切り換え手段を制御して前記外部映像入力端子の映像信号を前記外部映像出力端子に与えるとともに前記外部音声信号入力端子への入力を前記音響再生部へ与えるように前記第１および第２の切り換え手段を制御し、かつ前記音響再生部が動作していないことを把握すると前記第１および第２の切り換え手段を制御して前記外部音声信号入力端子の入力を前記外部音声信号出力端子へ出力することを特徴とする請求項１に記載の映像音響機器の制御装置。
【請求項４】
前記切り換え手段は第１の切り換え手段であり、
前記映像音声再生部は、
さらに外部映像入力端子と、
外部音声入力端子と、
前記映像音声再生部の出力か外部映像入力端子および外部音声入力端子の入力かを選択する第２の切り換え手段とを備え、
前記第１のマイクロコンピュータは前記映像音声再生部の再生出力がないときは、前記第２の切り換え手段を制御して前記外部映像入力端子の映像信号を前記外部映像出力端子に与えるとともに前記外部音声信号入力端子への入力を前記音響再生部へ与えるように前記第１および第２の切り換え手段を制御し、かつ前記第２のマイクロコンピュータとの通信で前記音響再生部が動作していないことを把握すると前記第１および第２の切り換え手段を制御して前記外部音声信号入力端子の入力を前記外部音声信号出力端子へ出力することを特徴とする請求項２に記載の映像音響機器の制御装置。
【請求項５】
前記音響再生部の動作有無にかかわらず前記切り換え手段を制御して前記外部音声信号出力端子へ前記映像音声再生装置の音声信号出力を与えることを特徴とする請求項１または２に記載の映像音響機器の制御装置。
【請求項６】
前記音響再生部の動作有無にかかわらず前記第１および第２の切り換え手段を制御して前記外部音声信号出力端子へ前記映像音声再生装置の音声出力信号または前記外部音声入力端子の音声入力信号を与えることを特徴とする請求項３または４に記載の映像音響機器の制御装置。
【請求項７】
前記映像音声再生部のスタンバイ状態においては、前記第１のマイクロコンピュータは前記第１および第２の切り換え手段を制御して前記外部音声信号入力端子と前記外部映像信号入力端子のそれぞれの入力を前記外部音声信号出力端子と前記外部映像信号出力端子のそれぞれに出力することを特徴とする請求項３、４、および６のいずれかに記載の映像音響機器の制御装置。
【発明の詳細な説明】
【技術分野】
【０００１】
本発明はテレビ等の音声再生機能を有する外部映像モニタ機器への音声信号出力を制御する、映像音響機器の制御装置に関するものである。
【背景技術】
【０００２】
近年、ＤＶＤプレーヤ、ＤＶＤレコーダなどの映像音響再生／映像音響記録再生機器を用いて、映像と共に５．１チャンネルの迫力ある音響を楽しむ、いわゆるホームシアターと称する装置が多く用いられている。一方ヨーロッパ諸国では、映像音響機器間の接続のためにスカート端子が用意されており、映像音響機器とテレビとの間はスカートケーブルで接続するのが一般的である。ところが前述のホームシアター装置ではそれ自身に音声増幅器を備え、かつ多チャンネルのスピーカも用意しているので、テレビのスピーカからの音と、ホームシアター装置のスピーカからの音とが重複して聞こえる、という不具合を避けるために、従来のヨーロッパ諸国向けの装置は、テレビのスピーカからは映像音響機器の音声信号は出力しない、すなわち映像音響機器からテレビへ音声信号を供給しない、という仕様になっている。
【０００３】
図４の従来の映像音響機器の制御装置は、映像音声再生部１０１ａの外部装置としてテレビ１０２ａが外部映像出力端子１０４を介して接続され、デコーダまたは外部機器Ａ１０５が外部音声入力端子Ａ１０６、外部映像入力Ａ１０７を介して接続され、外部機器Ｂ１０８が外部音声入力端子Ｂ１０９、外部映像入力Ｂ１１０を介して接続され、ＴＶアンテナ１１１がＲＦ入力端子１１２を介して内部のＴＶチューナ１１３に接続されている。テレビ１０２ａには音声出力は与えず、映像出力のみが与えられている。
【０００４】
映像音声再生部１０１ａのマイクロコンピュータ１１４ａは、スイッチＳＷＡ、ＳＷＢの動作を制御して外部機器か、ＤＶＤ／ＣＤ再生部１１５の出力かを選択する。選択された映像信号はテレビ１０２ａに与えられ、選択された音声信号は音響再生部１２１ａに与えられてデジタルシグナルプロセッサ１２２で５．１チャンネル信号に演算変換されてスイッチＳＷＣでＤＶＤ／ＣＤ再生部１１５の出力の５．１チャンネルの音声信号とのいずれかが選択されて５．１チャンネルボリューム１２４で音量調整された上で５．１チャンネル増幅器部１３１の増幅器１３２〜１３７で増幅されて５．１チャンネルスピーカ部１４１のスピーカ１４２〜１４７で再生される。電源コード１２０ａを持った電源回路１１９ａはマイクロコンピュータ１１４ａとＤＶＤ／ＣＤ再生部１１５と５．１チャンネル増幅器部１３１に電源を供給する。
【０００５】
なお、映像音響機器を含んだ装置の音声切り換えに関しては、他に特許文献１に示すものがある。
【特許文献１】特開平８−１８６７７１号公報
【発明の開示】
【発明が解決しようとする課題】
【０００６】
ところが、図４で説明した従来のヨーロッパ諸国向けの装置では、音響再生部１２１ａが駆動するスピーカと、テレビ１０２ａのスピーカとの両方で再生動作することによる不具合を避けるために、図示のようにテレビ１０２ａへは音声信号を供給せず、テレビ１０２ａからは映像音声再生部１０１ａの音声が出力されないようになっているので、音響再生部１２１ａ、５．１チャンネル増幅器部１３１、または５．１チャンネルスピーカ部１４１が何らかの原因で動作しないとき、たとえば電源が供給されないとか、回路や増幅器に故障が生じたり装置間の接続ケーブルが接続されていない、というときにテレビ１０２ａで音声再生ができず、またユーザが夜間などテレビ１０２ａの近くで小音量で静かに音を楽しみたい場合にも、テレビ１０２ａのスピーカで気軽に音声を聞くことができなかった。
【０００７】
本発明によると、通常は映像音声再生部の音声信号出力を優先して、またはユーザの選んだ外部機器音声入力を選択して、映像音響機器の音響再生部が駆動するスピーカから音声を再生するとともにテレビで映像を再生し、何らかの理由で映像音響機器の音響再生部が動作していないときはテレビで映像を再生するとともに、自動的にテレビのスピーカから音声も再生できる。更に音響再生部が動作しているときにも必要があればユーザの選択により音声をテレビから再生できる映像音響機器の制御装置を提供することを目的とする。
【課題を解決するための手段】
【０００８】
上記課題を解決するために、本発明の映像音響機器の制御装置の第１の基本の構成は、映像信号と音声信号とを出力する映像音声再生部と、少なくとも前記映像音声再生部の音声信号をスピーカで再生する音響再生部とを備え、前記映像音声再生部には、前記音響再生部への音声信号出力端子と、外部映像信号出力端子と、外部音声信号出力端子と、少なくとも前記外部音声信号出力端子への出力可否を切り換える切り換え手段と、前記映像音声再生部および前記音響再生部の動作を把握し制御するとともに前記切り換え手段を制御するマイクロコンピュータとを備え、前記音響再生部には、前記映像音声再生部の音声信号出力端子の出力を受ける音声信号入力端子と、この音声信号入力端子からの入力を増幅してスピーカに出力する音声増幅器とを備え、前記マイクロコンピュータは前記音響再生部が動作していないことを把握すると前記切り換え手段を制御して前記外部音声信号出力端子へ前記映像音声再生部の音声信号出力を与えることを特徴とするものである。
【０００９】
また、本発明の映像音響機器の制御装置の第２の基本の構成は、映像信号と音声信号を出力する映像音声再生部と、少なくとも前記映像音声再生部の音声信号をスピーカで再生する音響再生部とを備え、前記映像音声再生部には、前記音響再生部への音声信号出力端子と、外部映像信号出力端子と、外部音声信号出力端子と、前記外部音声信号出力端子への出力可否を切り換える切り換え手段と、前記映像音声再生部の動作を制御するとともに前記切り換え手段を制御する第１のマイクロコンピュータとを有し、前記音響再生部には、前記映像音声再生部の音声信号出力端子の出力信号を受ける音声信号入力端子と、この音声信号入力端子からの入力信号を増幅してスピーカに出力する音声増幅器と、前記音響再生部の動作を把握し制御する第２のマイクロコンピュータとを有し、前記第１のマイクロコンピュータは前記第２のマイクロコンピュータと通信して前記音響再生部が動作していないことを把握すると前記切り換え手段を制御して前記外部音声信号出力端子へ前記映像音声再生部の音声信号出力を与えることを特徴とするものである。
【００１０】
上記の第１の基本の構成に、拡張した構成として、前記切り換え手段は第１の切り換え手段であり、前記映像音声再生部は、さらに外部映像入力端子と、外部音声入力端子と、前記映像音声再生部の出力か外部映像入力端子および外部音声入力端子の入力かを選択する第２の切り換え手段とを備え、前記マイクロコンピュータは前記映像音声再生部の再生出力がないときは、前記第２の切り換え手段を制御して前記外部映像入力端子の映像信号を前記外部映像出力端子に与えるとともに前記外部音声信号入力端子への入力を前記音響再生部へ与えるように前記第１および第２の切り換え手段を制御し、かつ前記音響再生部が動作していないことを把握すると前記第１および第２の切り換え手段を制御して前記外部音声信号入力端子の入力を前記外部音声信号出力端子へ出力する構成としてもよい。
【００１１】
上記の第２の基本の構成に、拡張した構成として、前記切り換え手段は第１の切り換え手段であり、前記映像音声再生部は、さらに外部映像入力端子と、外部音声入力端子と、前記映像音声再生部の出力信号か外部映像入力端子および外部音声入力端子の入力信号かを選択する第２の切り換え手段とを備え、前記第１のマイクロコンピュータは前記映像音声再生部の再生出力がないときは、前記第２の切り換え手段を制御して前記外部映像入力端子の映像信号を前記外部映像出力端子に与えるとともに前記外部音声信号入力端子への入力信号を前記音響再生部へ与えるように前記第１および第２の切り換え手段を制御し、かつ前記第２のマイクロコンピュータとの通信で前記音響再生部が動作していないことを把握すると前記第１および第２の切り換え手段を制御して前記外部音声信号入力端子の入力信号を前記外部音声信号出力端子へ出力するという構成にしてもよい。
【００１２】
そしてこの基本の構成と拡張の構成に付随して、前記音響再生部の動作有無にかかわらず前記切り換え手段、または前記第１および第２の切り換え手段を制御して前記外部音声信号出力端子へ前記映像音声再生装置の音声出力信号または前記外部音声入力端子の音声入力信号を与える構成としてもよい。
【００１３】
そして上記拡張の構成とそれに付随した構成において、前記映像音声再生部のスタンバイ状態においては、前記マイクロコンピュータまたは前記第１のマイクロコンピュータは前記切り換え手段を制御して前記外部音声信号入力端子と前記外部映像信号入力端子のそれぞれの入力信号を前記外部音声信号出力端子と前記外部映像信号出力端子のそれぞれに出力する構成も付加できる。
【発明の効果】
【００１４】
本発明の映像音響機器の制御装置は、上記の各基本の構成によって通常は映像音声再生部の音声再生信号を優先して音響再生部のスピーカから音声信号を再生するとともにテレビで映像信号を再生し、音響再生部が動作していないときはテレビで映像信号を再生するとともに、自動的にテレビのスピーカから音声信号を再生することができる。
【００１５】
そして上記拡張の構成においては、さらに前記映像音声再生部が動作していなければ前記外部映像入力端子の映像信号を前記外部映像出力端子に与えるとともに前記外部音声信号入力端子への入力信号を前記音響再生部へ与え、かつ前記音響再生部が動作していないことを把握すると前記第１および第２の切り換え手段を制御して前記外部音声信号入力端子の入力信号を前記外部音声信号出力端子へ出力することができる。
【００１６】
そして、上記付随した構成では、ユーザの好みに応じて前記音響再生部の動作有無にかかわらず前記外部音声信号出力端子へ前記映像音声再生装置の音声出力信号または前記外部音声信号入力端子の音声入力信号を与えることができる。
【００１７】
そして、上記拡張の構成とそれに付随した構成において、前記映像音声再生部のスタンバイ状態においては、前記マイクロコンピュータまたは前記第１のマイクロコンピュータは前記第１および第２の切り換え手段を制御して前記外部音声信号入力端子と前記外部映像信号入力端子のそれぞれの入力信号を前記外部音声信号出力端子と前記外部映像信号出力端子のそれぞれに出力することができる。
【発明を実施するための最良の形態】
【００１８】
（実施の形態１）
以下図面を用いて本発明の実施の形態１の映像音響機器の制御装置を説明する。図１は本発明の実施の形態１における映像音響機器の制御装置のブロック図、図２は同じくその動作フローチャートを示す。
【００１９】
図１において、映像音響機器の制御装置は映像音声再生部１０１と音響再生部１２１よりなり、映像音声再生部１０１の外部装置としてテレビ１０２が外部音声出力端子１０３と外部映像出力端子１０４を介して接続され、デコーダまたは外部機器Ａ１０５が外部音声入力端子Ａ１０６、外部映像入力端子Ａ１０７を介して接続され、外部機器Ｂ１０８が外部音声入力端子Ｂ１０９、外部映像入力端子Ｂ１１０を介して接続され、ＴＶアンテナ１１１がＲＦ入力端子１１２を介して接続されている。
【００２０】
映像音声再生部１０１内部では、ＴＶチューナ１１３、映像音声再生部１０１の動作および下記のスイッチＳＷ１〜ＳＷ３の動作を制御するマイクロコンピュータ（以下マイコン）（１）１１４、ＤＶＤやＣＤを再生するＤＶＤ／ＣＤ再生部１１５があり、またデコーダまたは外部機器Ａ１０５、外部機器Ｂ１０８、ＴＶチューナ１１３、音声信号切り換えスイッチＳＷ３の出力音声信号をテレビ１０２に出力するかしないかを切り換える切り換え手段である出力切り換えスイッチＳＷ１、デコーダまたは外部機器Ａ１０５、外部機器Ｂ１０８、ＴＶチューナ１１３、ＤＶＤ／ＣＤ再生部１１５からの音声信号を切り換える音声信号切り換えスイッチＳＷ２と、同じくデコーダまたは外部機器Ａ１０５、外部機器Ｂ１０８、ＴＶチューナ１１３、ＤＶＤ／ＣＤ再生部１１５からの映像信号を切り換える映像信号切り換えスイッチＳＷ３を備える。そしてＳＷ２とＳＷ３を合わせて第２の切り換え手段と定義する。
【００２１】
さらに映像音声再生部１０１には、ユーザが映像音声再生部１０１の動作を指示するキー入力部（１）１１６、ユーザが音響再生部１２１の動作を指示するキー入力部（２）１１７、図示しないリモートコントローラ（以下リモコン）からの指示入力を有線や赤外線受光部で受けるリモコン入力部１１８、ＡＣ電源に接続されてマイクロコンピュータ（１）１１４やＤＶＤ／ＣＤ再生部１１５に電源を供給する電源回路（１）１１９、電源回路（１）１１９の電源コード（１）１２０を備える。
【００２２】
音響再生部１２１には、映像音声再生部１０１から入力した２チャンネルの音声信号を５．１チャンネルの音声信号に演算変換するデジタルシグナルプロセッサ（以下ＤＳＰ）１２２、ＤＳＰ１２２の出力か、映像音声再生部１０１から入力した５．１チャンネルの音声信号かを選択する音声信号選択スイッチＳＷ４、音響再生部１２１の動作を制御するとともに常にその動作を把握し、かつマイコン（１）１１４に音響再生部１２１の動作状態を通知するマイコン（２）１２３、５．１チャンネルの音声信号の音量を調整する５．１チャンネルボリューム１２４、サブウーファ増幅器１３２をはじめとする５．１チャンネル増幅器１３２〜１３７を持った５．１チャンネル増幅器部１３１、ＡＣ電源に接続されて、マイコン（２）１２３、増幅器１３２〜１３７とに電源を供給する電源回路（２）１３８、電源回路（２）１３８の電源コード（２）１３９、５．１チャンネルスピーカ部１４１を備える。
【００２３】
マイコン（２）１２３は各部に電源電圧が正常に供給されているか、また別体になっている部分があれば、その部分との接続ケーブルが正しく接続されているか等、音響再生部１２１内部の動作を常に把握している。
【００２４】
スピーカ部１４１には、各チャンネルのスピーカ１４２〜１４７があり、このうち、たとえばサブウーファ１４２を音響再生部１２１の筐体に組み込み、他は別体とすることもできる。
【００２５】
このように構成された本実施形態の映像音響機器の制御装置について、以下図２のフローチャートを併用してその動作を説明する。マイコン（１）１１４は、ステップＳ２０１の電源が供給されていて、少なくともマイコン（１）１１４が動作しているスタンバイ状態では、スイッチＳＷ２、ＳＷ３を制御して、ステップＳ２０２においてＳＷ１をオンに、ＳＷ２・ＳＷ３をそれぞれ「Ａ」位置に切り換えるように設定する。すなわち映像音声再生部１０１と音響再生部１２１が動作していないときには、自動的にデコーダまたは外部機器Ａからの入力をテレビ１０２へ出力することとなる。これは一例であり、たとえばＴＶチューナ１１３が動作していれば、それを選択するように予め設定してもよい。図１ではＴＶチュ−ナ１１３は内部にあるように図示しているが、その出力は外部入力と同じように扱ってもよい。
【００２６】
ステップＳ２０３でキー入力部（１）１１６（またはリモコン入力部１１８）の電源スイッチがオンにされたかどうかを判断し、オンでなければステップＳ２０１に戻り、オンにされていればステップＳ２０４に進み、ステップＳ２０４でマイコン（２）１２３と通信して音響再生部１２１が動作状態かどうかを判断する。
【００２７】
音響再生部１２１が動作状態であれば、ステップＳ２０５でＳＷ１をオフに、ＳＷ２、ＳＷ３をマイコン（１）１１４内のメモリに記憶されているラストメモリ（前回パワーオフ前の状態）の位置に設定する。すなわち音響再生部１２１が動作していて、スピーカ部１４１が再生できるので、テレビから重複して音声が出ないようにするものである。
【００２８】
ステップＳ２０６でユーザのＳＷ１切り換え入力があったかどうか判断し、あれば  ステップＳ２０７でＳＷ１の状態を反転させる。すなわちここではスイッチＳＷ１をオンにする。ステップＳ２０６でＳＷ１切り換え入力がなければ、ＳＷ１はオフのままでステップＳ２０８へ飛ぶ。
【００２９】
ステップＳ２０８でＤＶＤ／ＣＤ再生部１１５のディスクが再生状態かを判断し、再生状態であればステップＳ２０９でＳＷ２、ＳＷ３を「Ｄ」位置に切り換える。これでＤＶＤ／ＣＤ再生部１１５が再生状態であれば、ディスクから再生された映像信号、音声信号が自動的に出力されることとなる。ステップＳ２０８で再生状態でなければステップＳ２１０へ飛ぶ。
【００３０】
ステップＳ２１０では、機器選択状態を判断する。これに先だってユーザはキー入力（１）１１６、リモコン入力部１１８を用いて、デコーダまたは外部機器Ａ１０５、外部機器Ｂ１０８、ＴＶチューナ１１３を任意に選択してあり、ステップ２１０で選択があると判断すればステップＳ２１１でＳＷ２、ＳＷ３を選択された位置に切り換える。ステップＳ２１０で機器の選択がなければステップＳ２１２へ飛ぶ。
【００３１】
ステップＳ２１２で再びマイコン（２）１２３と通信して音響再生部１２１の動作状態を判断し、動作状態のままであればステップＳ２１３でパワーオフ入力があったか判断して、あればステップ２１４でＳＷ２、ＳＷ３の最終の位置をメモリに記憶してステップＳ２０１のスタンバイ状態に戻る。ステップＳ２１３でパワーオフ入力がなければ、ステップＳ２０６へ戻る。
【００３２】
ステップＳ２０４で音響再生部１２１が動作状態でなければ、ステップＳ２１５へ飛ぶ。ここでＳＷ１をオンにし、ＳＷ２、ＳＷ３をメモリに記憶されたラストメモリの位置に設定する。すなわち音響再生部１２１が何らかの原因で動作していなければ、自動的にテレビ１０２へ音声信号出力を与えることができる。
【００３３】
ステップＳ２１６でＤＶＤ／ＣＤ再生部１１５のディスク再生状態を判断し、ディスク再生状態であればステップＳ２１７でＳＷ２、ＳＷ３を「Ｄ」位置に設定する。再生状態でなければステップＳ２１８へ飛ぶ。
【００３４】
ステップＳ２１８で機器選択かがあったか判断し、選択があればステップＳ２１９でＳＷ２、ＳＷ３を選択された位置に切り換え、ステップＳ２１８で機器選択がなければステップＳ２２０へ飛ぶ。
【００３５】
ステップＳ２２０では、再び音響再生部１２１の動作状態を判断し、動作がなければステップＳ２２１でパワーオフ入力を判断し、パワーオフ入力があれば、ステップＳ２１４の設定を行ってステップＳ２０１のスタンバイ状態に戻る。
【００３６】
前に戻ってステップＳ２１２で音響再生部１２１が動作状態でないとき、ＳＷ１をオンにしたうえ、ステップＳ２２１へ飛ぶ。すなわち音響再生部１２１が動作していないのでテレビ１０２に音声信号出力を与えることによって無音状態になるのを防ぐ。またステップＳ２２０で音響再生部１２１が動作状態となっていれば、ＳＷ１をオフにして音響再生部１２１で駆動するスピーカと、テレビ１０２のスピーカが同時に動作することも防ぐ。
【００３７】
以上のように本実施形態によれば、マイコン（１）１１４が映像音声再生部１０１を制御するとともにその内部動作を把握し、マイコン（２）１２３が音響声再生部１２１を制御するとともにその内部動作を把握し、マイコン（１）１１４がマイコン（２）１２３と通信することによって音響再生部１２１が動作しておればＳＷ１をオフにしてテレビ１０２への音声信号出力を断って音響再生部１２１の駆動するスピーカのみを動作させ、音響再生部１２１が動作していなければＳＷ１をオンにしてテレビ１０２へ音声信号出力を与えて無音になることを防ぐものである。
【００３８】
そしてマイコン（１）１１４はＤＶＤ／ＣＤ再生部１１５が再生状態であれば、その出力を優先的に音響再生部１２１や外部音声出力端子１０３、外部映像出力端子１０４に与えるものである。
【００３９】
そして、上記の動作にかかわらずキー入力部（１）１１６やリモコン入力部１１８からのユーザの選択操作入力によって外部機器やテレビチューナなどの入力信号を音響再生部１２１やテレビ１０２へ任意に出力し、またテレビ１０２への音声信号出力を自由にオン／オフすることができる。
【００４０】
さらに、本装置が動作していないとき、すなわちＡＣ電源には接続されているが、パワースイッチがオンになっていないときには、自動的に外部機器からの入力信号がテレビに出力されるものである。
【００４１】
（実施の形態２）
図３は本発明の実施の形態２における映像音響機器の制御装置のブロック図を示し、図１と同じ機能の部分には同じ符号を付けて説明を省略する。図１と異なる点は映像音声再生部１０１ｂのマイコン１１４ｂは、図１のマイコン（１）１１４の機能に加えて、図１のマイコン（２）１２３の持つ機能、すなわち音響再生部１２１ｂの動作を制御するとともに常にその動作を把握する機能を併せ持っている。キー入力部１１６ｂおよびリモコン入力部１１８ｂは映像音声再生部１０１ｂの動作だけでなく、音響再生部１２１ｂの動作も併せて指示することができる。電源コード１２０ｂが接続された電源回路１１９ｂはＤＶＤ／ＣＤ再生部１１５、５．１チャンネル増幅部１３１とマイコン１１４ｂにも電源を供給する。
【００４２】
そしてその動作についても、図２のフローチャートをそのまま適用することができ、異なる点は、たとえばステップＳ２０４やＳ２１２などで、マイコン（１）１１４がマイコン（２）１２３と通信する部分は、通信することなく、自身が把握している音響再生部１２１ｂの動作に基づいて判断すればよい。
【００４３】
なお、上記各実施形態では内部の映像・音声信号のソースとしてＤＶＤやＣＤを再生するＤＶＤ／ＣＤ再生部を例示したが、ＤＶＤやＣＤに記録もすることができる機器であってもよく、またテープや半導体メモリや今後出てくるであろう新たな記録媒体等から再生できるものであっても差し支えない。
【００４４】
また、上記各実施形態では映像音声再生部１０１と音響再生部１２１と５．１チャンネルアンプ部とを一体にした状態で説明したが、映像音声再生部１０１と音響再生部１２１とは別体でもよく、また５．１チャンネル増幅器部も別体にしたり、さらには５．１チャンネル増幅器にサブウーファスピーカを組み込む等の種々の構成上の変化を加えても差し支えない。
【００４５】
さらに外部機器の数や切り換え位置の数などは必要に応じて決定すればよく、例示のものに限定されない。
【産業上の利用可能性】
【００４６】
以上説明のように、本発明の映像音響機器の制御装置によれば、通常は映像音声再生部の音声再生信号を優先して、またはユーザの選んだ外部音声入力信号を映像音響機器の音響再生部が駆動するスピーカから再生するとともにテレビで映像信号を再生し、音響再生部が動作していないときは自動的にテレビのスピーカから音声信号を再生できる。更に音響再生部が動作しているときにも必要があればユーザの選択により音声信号をテレビのスピーカから再生できるなど産業上の利用可能性は高い。
【図面の簡単な説明】
【００４７】
【図１】本発明の実施の形態１における映像音響機器の制御装置のブロック図
【図２】同じくその動作フローチャート
【図３】本発明の実施の形態２における映像音響機器の制御装置のブロック図
【図４】従来の映像音響機器の制御装置を示すブロック図
【符号の説明】
【００４８】
１０１、１０１ｂ    映像音声再生部
１０２    テレビ
１０３    外部音声出力端子
１０４    外部映像出力端子
１０５    デコーダまたは外部機器Ａ
１０６    外部音声入力端子Ａ
１０７    外部映像入力Ａ
１０８    外部機器Ｂ
１０９    外部音声入力端子Ｂ
１１０    外部映像入力Ｂ
１１１    ＴＶアンテナ
１１２    ＲＦ入力端子
１１３    ＴＶチューナ
１１４    マイクロコンピュータ（１）
１１４ｂ  マイクロコンピュータ
１１５    ＤＶＤ／ＣＤ再生部
１１６    キー入力部（１）
１１６ｂ  キー入力部
１１７    キー入力部（２）
１１８    リモコン入力部
１１９    電源回路（１）
１２１、１２１ｂ    音響再生部
１２２    デジタルシグナルプロセッサ
１２３    マイクロコンピュータ（２）
１２４    ５．１チャンネルボリューム
１３１    増幅器部
１３２    サブウーファ増幅器
１３３〜１３７    各チャンネルの増幅器
１３８    電源回路（２）
１４１    スピーカ部
１４２    サブウーファスピーカ
１４３〜１４７    各チャンネルのスピーカ
ＳＷ１    出力切り換えスイッチ
ＳＷ２    音声信号切り換えスイッチ
ＳＷ３    映像信号切り換えスイッチ
ＳＷ４    音声信号選択スイッチ
【図１】
2005109868.tif 000003
【図２】
2005109868.tif 000004
【図３】
2005109868.tif 000005
【図４】
2005109868.tif 000006